(57)【特許請求の範囲】
【請求項１】
複数の土留め用ライナプレートを上層側のものに下層側のものを順次連結しながら穴掘削を行なう際に用いられ、
掘削開始時の浅い掘削穴に装着した最上層のライナプレートを連結支持し、最上層ライナプレートに連結される下層ライナプレートも垂下状に支持し、これらのライナプレートとは脱着可能に連結固定される土留め用ライナプレート支持装置であって、
最上層のライナプレートに連結され縦方向と交差するように地面上を伸びる支持板と、
支持板と最上層のライナプレートとの連結を補強する補強手段と、を有し、
前記補強手段は、最上層のライナプレートの面に沿って縦方向に配置され上部が支持板と最上層ライナプレートとともに連結され、下部が最上層ライナプレートの下部と下層ライナプレートとともに連結される補強リブ部材を有する土留め用ライナプレートの支持装置。
【請求項２】
前記補強手段は、最上層のライナプレートに縦方向直状に延長しかつ支持板にＬ字状に配置された地上側ライナプレートと、地上側ライナプレートと支持板の両方に連結されこれら地上側ライナプレートと支持板とを一体的に固定させる固定部材と、を含む地上側立体補強構造体を有する請求項１記載の土留め用ライナプレートの支持装置。
【請求項３】
地面上を伸びて配置された支持板の端部側を地面に対して固定させる打ち込み固定手段が設けられた請求項１または２記載の土留め用ライナプレートの支持装置。
【請求項４】
前記支持装置は、ライナプレートの周囲に間欠状に複数個配置された支持ユニットからなる請求項１ないし３のいずれかに記載の土留め用ライナプレートの支持装置。
【請求項５】
請求項１ないし４のいずれかに記載の土留め用ライナプレートの支持装置を用いた土留め方法であって、
複数の土留め用ライナプレートを上層側のものに下層側のものを順次連結しながら穴掘削を行なうにあたり、
掘削開始時の浅い掘削穴に最上層のライナプレートを装着させ、ライナプレート支持装置を最上層のライナプレートの上部に脱着可能に取り付けて支持させ、最上層ライナプレートに連結される下層ライナプレートもライナプレート支持装置で垂下支持させ、
掘削終了後に、支持装置を最上層のライナプレートから離脱回収することを特徴とする土留め用ライナプレート支持装置を用いた土留め方法。
【発明の詳細な説明】
【０００１】
【発明の属する技術分野】
本発明は、例えば、鉄塔や高層建築物等の基礎を施工する際等に用いられるライナプレートの支持装置及びそれを用いた土留め方法に関する。
【０００２】
【従来の技術】
従来の立坑の施工時の土留め方法として、ライナープレートを用いたものがある。この従来の土留め方法では、施工坑径に応じた深さ約０．５ｍの穴を掘削し、複数のライナープレートを連結して、筒状のライナープレート組立体を形成する。そして、ライナープレート組立体と周りの地山との間に土を埋め戻したり、モルタルグラウトにより裏込め材の充填を行ない、裏込め材の充填が完了したら、２段目の複数のライナープレートを根継できるように約０．５ｍ掘下げ、ライナープレートを組み立てて筒状ライナープレートを形成し、このライナープレート組立体と上段のライナープレート組立体とを連結するものであった。そして、以下同様の工程を繰り返しながら、所定深さまで掘削していくものであった。（例えば、特許文献１参照）。
【０００３】
一方、図１０に示すように、上記の従来の土留め方法では、下段に連結されるライナープレートを吊支状に支持するために、穴口側のライナープレートの外周側に固定用コンクリートを打設していた。固定用コンクリートは、施工性や安全性を確保するために、連結されたライナープレートの自重等に十分耐え得る支持強度を有する必要がある。従って、例えば、掘削する穴が、直径２〜６ｍ程度の円形で、深さ１０ｍ程度の場合には、固定用コンクリートは、例えば、縦方向の厚さが３０ｃｍ以上、横方向の張り出し幅が５０ｃｍ以上の大きさで穴口側のライナープレートの外面側にドーナツ状に設けられる必要があった。
【特許文献１】
特開平５−２９５９７９号公報（段落番号［００１３］〜［００１４］、図５ないし図７）
【０００４】
【発明が解決しようとする課題】
従来の土留め方法では、所要の作業後にライナープレートを取り外して穴を埋め戻す際には、固定用コンクリートを埋め殺ししていたが、近時の環境問題の要請による法規制から固定用コンクリートは産業廃棄物とされ、このため、この固定用コンクリートを撤去しなければならならなくなった。しかしながら、固定用コンクリートの体積及び重量が非常に大きいことから、自然分解しにくいコンクリート廃棄物が大量に排出されるので、撤去したコンクリートを廃棄するには専門業者に委託せざるを得ず、廃棄コストが非常に高くなるものであった。さらに、廃棄されるコンクリートの増大に伴って、廃棄場所の不足や廃棄場周辺の環境の悪化、不法投棄等の様々な問題が生じていた。また、固定用コンクリートを撤去する際には、コンクリートの破砕や、掘り起こし、運搬等の作業に大きな労力がかかっていた。一方で、固定用コンクリートを打設する作業も重労働であるとともに、打設したコンクリートが固まるまで養生期間をおく必要があり施工に長い期間を要するものであった。
【０００５】
本発明は、上記従来の課題に鑑みてなされたものであり、その１つの目的は、廃棄コンクリート等の産業廃棄物を全く排出させないとともに、設置及び撤去等の作業性を向上させ得る土留め用ライナプレートの支持装置及びそれを用いた土留め方法を提供することにある。さらに、他の目的は、ライナプレートを十分な強度で確実に支持することにより、施工性及び安全性を確保できる土留め用ライナプレートの支持装置及びそれを用いた土留め方法を提供することにある。
【０００６】
【課題を解決するための手段】
上記課題を解決するために本発明は、複数の土留め用ライナプレート１０を上層側のものに下層側のものを順次連結しながら穴掘削を行なう際に用いられ、掘削開始時の浅い掘削穴Ｈに装着した最上層のライナプレート１０ａを連結支持し、最上層ライナプレート１０ａに連結される下層ライナプレートも垂下状に支持し、これらのライナプレートとは脱着可能に連結固定される土留め用ライナプレート支持装置であって、最上層のライナプレート１０ａに連結され縦方向と交差するように地面上を伸びる支持板２２と、支持板２２と最上層のライナプレート１０ａとの連結を補強する補強手段と、を有し、前記補強手段は、最上層のライナプレート１０ａの面に沿って縦方向に配置され上部が支持板と最上層ライナプレート１０ａとともに連結され、下部が最上層ライナプレートの下部と下層ライナプレート（１０ｂ）とともに連結される補強リブ部材２８を有する土留め用ライナプレートの支持装置１２から構成される。支持装置１２は脱着可能であるので所要作業後にライナプレート１０から離脱回収して再利用することができる。支持板２２は、三角形、四角形、五角形、その他多角形や、半円状、円弧状、穴周囲を囲むようなドーナツ型等、その他任意形状で形成される。
【０００７】
また、前記補強手段は、最上層のライナプレート１０ａに縦方向直状に延長しかつ支持板２２にＬ字状に配置された地上側ライナプレート４０と、地上側ライナプレート４０と支持板２２の両方に連結されこれら地上側ライナプレート４０と支持板２２とを一体的に固定させる固定部材４２と、を含む地上側立体補強構造体を有することとしても良い。
【０００８】
また、地面上を伸びて配置された支持板２２の端部側を地面に対して固定させる打ち込み固定手段４６が設けられたこととしてもよい。打ち込み固定手段４６は、１本または複数本の杭体から構成すると好適である。
【０００９】
また、前記支持装置１２は、ライナプレート１０の周囲に間欠状に複数個配置された支持ユニット２０からなることとしてもよい。
【００１０】
さらに、請求項１ないし４のいずれかに記載の土留め用ライナプレートの支持装置１２を用いた土留め方法であって、複数の土留め用ライナプレート１０を上層側のものに下層側のものを順次連結しながら穴掘削を行なうにあたり、掘削開始時の浅い掘削穴Ｈに最上層のライナプレート１０ａを装着させ、ライナプレート支持装置１２を最上層のライナプレート１０ａの上部に脱着可能に取り付けて支持させ、最上層ライナプレート１０ａに連結される下層ライナプレートもライナプレート支持装置で垂下支持させ、掘削終了後に、支持装置１２を最上層のライナプレート１０ａから離脱回収することを特徴とする土留め用ライナプレート支持装置を用いた土留め方法から構成される。
【００１１】
【発明の実施の形態】
以下、添付図面を参照しつつ本発明の土留め用ライナプレートの支持装置の実施形態について説明する。本発明の土留め用ライナプレートの支持装置（以下「ライナプレート支持装置」という）は、例えば、立坑の施工や、送電線用鉄塔や高層建築等の構築物の基礎工等において、地面の穴掘削時の土留め用仮設材として用いられるライナプレートの地上側における吊支状支持装置であり、支持すべきライナプレートに脱着可能に連結されて所要作業終了後に穴を埋め戻す際には該装置を回収して、再利用可能な点が主な特徴点である。
【００１２】
図１ないし図９は、本発明のライナプレートの支持装置の一実施形態を示している。この実施形態において、ライナプレートの支持装置１２は、図１に示すように、穴掘削の際に上層側から下層側に連結される土留め用のライナプレートの最上層のライナプレートに脱着可能に固定されて該ライナプレートを垂下状に支持する。厳密には掘進が進むにしたがって下層側に連設したライナプレートは土圧により沈降方向に対する支持力が働くので下層側に連設したすべてのライナプレートの全荷重を吊支するのではなく、吊支状に支持するものである。
【００１３】
図１は、掘削穴Ｈ内に複数段に縦にライナプレート１０を直列状に装着し、地上側にさらに１個の地上側ライナプレート４０を設置した状態を示している。ライナプレート１０は、図１、図９に示すように、地面に掘削した穴に装着され、穴掘削の進行に伴って、複数の層状に上層側から下層側に順次連結していくことにより掘削穴の土留めを行なう土留め手段であり、本実施形態では、複数のプレート片１１を左右に連結して短円筒状に組み付けて１個のライナプレート１０が構成される。ライナプレートどうしは１０ａ、１０ｂ、１０ｃ．．．のように上下方向に層を成すように連結されて掘削穴Ｈの近傍まで連設したライナプレート全体枠を形成している。
【００１４】
プレート片１１は、図７、図８に示すように、薄い鋼板を波付け加工して縦方向に凹凸が交互に繰り返されるように形成された横長略矩形状の基板１４と、基板１４の四辺に設けられ複数のボルト用孔１６が穿孔されたフランジ１８と、を有している。プレート片１１は、長手方向に沿って円弧状に湾曲して設けられており、複数個のプレート片１１を円周方向に連結していくことにより設定された径の大型の帯板筒状の１つのライナプレートが形成される。そして、円筒のライナプレートの下層側に他のライナプレートがボルト・ナット連結されることにより縦方向に直状に連結されて、図９に示すような大型の円筒状のライナプレート全体枠が構築される。なお、ライナプレート１０を縦方向に連結する際には、ライナプレートの土圧に対する強度を維持するために縦方向のフランジが各ライナプレートの層ごとに互い違いになるように連結される。これらの土留め用のライナプレートの最上層側、すなわち、掘削穴の開口側に、ライナプレート支持装置１２が配置されている。
【００１５】
ライナプレート支持装置１２は、最上層のライナプレートに脱着可能に固定されて、穴Ｈの開口側の周囲の地盤を利用して下層側に連結されるライナプレートを垂下状に支持するライナプレートの支持手段である。この実施形態において、ライナプレート支持装置１２は、図１、図２に示すように、最上層のライナプレート１０ａの円周に間欠状に等間隔で配置された５個の垂下支持ユニット２０からなり、これらのユニットがそれぞれ最上層のライナプレート１０ａに脱着可能に固定されている。ライナプレートの支持装置は、この実施形態のように、最上層のライナプレートの周囲に分散して配置させる構成のみに限らず、例えばライナプレートの周囲に連続するドーナツ状に形成してもよい。本実施形態においては、一つの支持ユニット２０をライナプレート支持装置として、以下説明する。
【００１６】
図３の実施形態において、ライナプレート支持装置（各々の支持ユニット）１２は、支持板２２と、支持板２２を補強する補強手段と、を有している。支持板２２は、最上層のライナプレート１０ａに着脱可能に連結され、ライナプレートから外側に張り出し状に地面上を伸びて掘削穴の周囲の地面に係止されることにより下層側に連結されるライナプレートを垂下状に支持する。この実施形態において、支持板２２は、掘削穴Ｈの縁部地面上に載置され、一端側を最上層のライナプレート１０ａの上部フランジ１８上面に配置させるとともに、他端側は掘削穴Ｈの縁部地面上に穴Ｈから外側に向かうように載置されている。図４、図５にも示すように、支持板２２は、例えば、平面視横長矩形状に形成された鉄板等の金属平板からなり、４個の連結孔２４が穿孔されている。これらの４個の連結孔２４のうち、内側の２個は円孔に形成されているが、外側の２個は長孔として形成されており、これによって、支持板２２は、曲率の異なる種々のライナプレートと連結できるようにしている。なお、連結孔の個数は任意でよく、全ての連結孔を長孔にすることとしても良い。支持板２２は、その下面に最上層のライナプレート１０ａの上辺側フランジの一部を密着させて、連結孔２４と、該ライナプレート１０ａのフランジのボルト用孔と、を位置合わせした状態でボルト・ナット連結されて着脱可能に固定される。
【００１７】
図３、図４において、補強手段は、支持板２２と最上層のライナプレート１０ａとの連結状態を補強することによりライナプレート支持装置１２のライナプレート全体枠の支持強度を向上させる補強手段である。この実施形態において、補強手段は、補強リブ部材２８と、地上側立体補強構造体３０と、を有している。
【００１８】
補強リブ部材２８は、最上層ライナプレート１０ａとともに支持板２２に連結されることにより、支持板２２と最上層ライナプレート１０ａとの連結部分にかかる荷重を分散し、ライナプレート支持装置１２のライナプレート全体枠を支持する強度を向上させる。補強リブ部材２８は、支持板２２の１つの連結孔２４の真下位置に支持板２２に対して下向きに直角に配置されて、最上層ライナプレート１０ａの内面に縦方向に沿うように穴内側からあてがい状に配置されて、その上端を支持板２２と地上側ライナプレート１０ａとともに結合させた状態で一体的に連結されている。補強リブ部材２８は、例えば、鉄板等の金属板から形成されて、ライナプレートの縦方向幅と略同じ長さで設けられており、ライナプレートの内側の波状の凹凸面に合わせて嵌合状に当接する波状板部３２と、波状板部３２に固定される直状板部３４と、からなる。補強リブ部材２８は、支持板２２の真下位置に一体的に固定され、かつ最上層ライナプレート１０ａに内面に密着する波状板部３２を設けたことにより、最上層ライナプレートの内側への曲げモーメントに対する押し返し状の抵抗力を大きくし、支持板２２との連結部分の支持強度を向上させる。波状板部３２の上下端部は、それぞれ内側に向けて直角状に屈曲されて上、下端面を形成しており、この上下端面には、それぞれボルト貫通用の連結孔が穿孔されている。直状板部３４は、波状板部３２に対向状に配置されて波状板部３２の上下端面と溶接等により固定されて、波状板部３２を補強している。補強リブ部材２８は、その波状板部３２を最上層ライナプレート１０ａの内面に当接した状態で、その上端面と支持板２２とで最上層ライナプレート１０ａの上辺側フランジを挟み込んだ状態でボルト・ナット連結される。一方、補強リブ部材２８の下端側は最上層のライナプレート１０ａとその真下に連結される下層のライナプレート１０ｂとを連結するボルトによって固定される。なお、この実施形態では、各々の支持板２２に１個の補強部材を連結しているが、各々の支持板２２に複数個の補強リブ部材を連結することとしても良い。
【００１９】
地上側立体補強構造体３０は、支持板２２の地上側に立体的に設けられることによって支持板２２と最上層ライナプレート１０ａとの連結部分にかかる荷重を構造体を構成する各部材に分散し、支持板２２のライナプレート全体枠を支持する強度を向上させる。地上側立体補強構造体３０は、ライナプレート全体枠の最上層ライナプレート１０ａからさらに上側に連結される地上側ライナプレート４０と、地上側ライナプレート４０と支持板２２とを一体的に固定する固定部材４２と、を有している。図３、図６に示すように、地上側ライナプレート４０は、土留め用に用いられるライナプレート１０と同一構成で設けられており、地上側で上記したようなプレート片１１を円筒状に連結して形成され、その下辺側のフランジと、最上層ライナプレート１０ａの上辺側のフランジと、で支持板２２を挟み込みながらライナプレート全体枠を地上に延長させるように直状に連結される。地上側ライナプレート４０は、支持板２２に対して直角Ｌ字状に配置されることとなり、支持板２２が配置されている場所では、最上層のライナプレート１０ａと支持板２２とを連結しているボルト２６で支持板２２とともに最上層のライナプレート１０ａと連結される。また、地上側ライナプレート４０は、掘削穴内に人や工具等が落下するのを防止し、地上及び穴内の作業者の安全を確保する。
【００２０】
固定部材４２は、図３、図４に示すように、例えば、直角三角形状に形成されており、支持板２２と地上側ライナプレートとの間に介在してその両方を一体的に固定している。固定部材４２は、略直角三角形状のフレーム体からなり、支持板２２と地上側ライナプレート４０との間にそれぞれに直交状に配置されて直角Ｌ字辺を当接させた状態で、それぞれと連結されている。固定部材４２は、図６にも示すように、支持板２２の左右に対して補強リブ部材２８の配置位置と同じ位置に配置されており、穴側から見た際に補強リブ部材２８と直線状になる位置で立設されている。固定部材４２は、例えば、３個のアングル材を直角三角形に組付けたものから形成されており、支持板２２に当接して固定される横辺と、地上側ライナプレートに当接状に配置される縦辺と、支持板２２と地上側ライナプレートの間に渡架状に配置される斜辺と、を有している。固定部材４２の縦辺は、ライナプレートの縦方向長さと同じ長さで設けられており、縦辺の上端側にライナプレート側に向けて水平に突出している連結片４４が設けられている。固定部材４２は、支持板２２と地上側ライナプレート４０との間に立てて配置されて、その横辺と支持板２２とをボルト・ナット連結し、縦辺の連結片４４と地上側ライナプレート４０の上辺側フランジとをボルト・ナット連結して、支持板２２と地上側ライナプレート４０との両方と固定される。これにより、固定部材４２と、支持板２２と、地上側ライナプレート４０と、が側面視で三角形状に組付け固定され、荷重に対して高い強度の立体構造体を形成される。なお、固定部材４２と支持板２２との固定手段は、ボルト・ナット連結に限らず例えば溶接等により固定してもよい。また、固定部材４２の配置位置は、補強リブ部材２８と直線状になる位置に限らず、支持板２２上に補強リブ部材２８と互い違いになる位置に配置されることとしても良い。この実施形態では、各々の支持板２２に１個の固定部材４２を連結したが、それに限らず、各々の支持板２２に２個、３個、またはそれ以上の複数個の固定部材４２を連結させることとしても良い。
【００２１】
一方、図３、図４に示すように、支持板２２の地面側に伸びて配置された延長端部には、打ち込み固定手段４６が設けられている。打ち込み固定手段４６は、支持板２２の端部側を打ち込み固定することによって、支持板２２の地面に対する固定状態を維持し、支持板２２の位置ずれや、端部の浮き上がり等を防止して、支持板２２に支持される土留め用のライナプレート全体枠を所定位置で安定させる。図５にも示すように、打ち込み固定手段４６は、２本の鋼製の頭付杭体からなり、支持板２２の２個の隅部付近に穿孔された孔を介して支持板２２を垂直に貫通しながら地中に打ち込まれて固定する。
【００２２】
次に、ライナプレート支持装置の作用を土留め方法とともに説明する。地面に施工規模に応じた径の円形の穴を、配置する最上層のライナプレート分の深さだけ掘削し、該掘削穴に複数個のプレート片１１を連結して形成した最上層のライナプレート１０ａを装着する。図２に示すように、この最上層のライナプレートの周囲の地面に、複数個（図２においては５個）の支持板２２を等間隔に離隔した位置に水平に地面上に配置し、打ち込み固定手段４６である杭体を支持板２２を貫通させながら地中に打ち込み固定する。図３に示すように、それぞれの支持板２２の下側に補強リブ部材２８を該ライナプレートの内面側（穴側）に互いの凹凸を嵌合状に合わせながら配置し、補強リブ部材２８の上端部を最上層のライナプレートとともに支持板２２とボルト・ナット連結する。この際、地上側ライナプレート４０を最上層のライナプレート１０ａの上層に支持板２２を挟み込んだ状態で直状に連結する。固定部材４２を支持板２２の上面側に連結し（予め支持板に固定しておいても良い）、地上側ライナプレート４０の上辺側のフランジと固定部材４２の上端とをボルト・ナット連結し、地上側ライナプレート４０と支持板２２とを一体的に固定して、地上側立体補強構造体３０を形成する。これらの補強リブ部材２８及び地上側立体補強構造体３０の補強手段により、支持板２２のライナプレート全体枠を支持する支持強度を向上させて、以後の掘削穴内での作業性及び安全性を確保できる。このようにして、支持板２２及び補強手段を含む支持装置１２でライナプレートを支持した状態で、次の下層のライナプレート分の深さだけ穴を掘削し、下層のライナプレート１０ｂを組み立てて上層のライナプレートと連結する。同様に、穴掘削、ライナプレートの連結、の作業を繰り返してライナプレート全体枠を形成しつつ所要の深さまで土留めを行いながら穴を掘削する。穴掘削後には、例えば、フーチングや柱等の構築物の基礎工等が行われる。それらの作業を終えると、最下層のライナプレートを取り外し、その分だけ穴を埋め戻し、以後同様に、下層側から上層側に向けて１層ごとにライナプレートの取り外し、穴の埋め戻し、の作業を繰り返しながら穴を埋め戻していく。そして、上記と逆の手順で最上層のライナプレートからライナプレート支持装置を離脱させて回収する。これにより、回収したライナプレート支持装置は他の現場で再利用することができるので経済性が良好であるとともに、産業廃棄物を排出することがなく環境保全を図ることができる。
【００２３】
本発明の土留め用ライナプレートの支持装置及びそれを用いた土留め方法は、上記した実施形態に限定されるものでなく特許請求の範囲に記載した発明の本質を逸脱しない範囲において、任意の改変を加えても良い。例えば、掘削穴は円形に限らず、小判型等に掘削されても良く、掘削穴の形状に合わせて、円弧状や直状等のライナプレートを組み合わせて連結して土留めされる。この場合でも、上記実施形態同様に、上記したような支持板や補強手段等を含む支持装置によりライナプレートを支持する。また、支持ユニットは、上記実施形態では５個としたが、２、３、４個、又は６個以上の複数個配置されることとしても良い。また、地上側ライナプレートは、１層に限らず、２層以上の複数層になるように延長しても良い。
【００２４】
【発明の効果】
上記したように、本発明の土留め用ライナプレートの支持装置によれば、複数の土留め用ライナプレートを上層側のものに下層側のものを順次連結しながら穴掘削を行なうにあたり、掘削開始時の浅い掘削穴に装着した最上層のライナプレートを連結支持し、その下層側に連結されるライナプレートも垂下状に支持し、該ライナプレートとは脱着可能に固定される構成としたことから、所要作業後に支持装置を回収して再利用できるので経済性が良好であるとともに廃棄コンクリート等の産業廃棄物を一切排出することがなく環境保全を図ることができる。また、支持装置の設置及び撤去等の作業性が向上し、作業者の労力を軽減できる。
【００２５】
また、支持装置は、最上層のライナプレートに連結され少なくともライナプレートが配置される縦方向と交差するように地面上を伸びる支持板を含む構成とすることにより、簡単な構造で連設したライナプレートを吊支状に支持することができるとともに支持装置の装着及び離脱を簡単に行うことができ、作業者の労力を軽減し得る。
【００２６】
また、支持装置は、支持板と最上層のライナプレートとの連結状態を補強する補強手段を有する構成とすることにより、連設されるライナプレートを吊支状に支持するのに十分の強度を確保でき、穴掘削または構築物の基礎工等の施工性が良好であるとともに作業者の安全性を確保できる。
【００２７】
また、補強手段は、最上層のライナプレートの面に沿って縦方向に配置され上部が支持板と最上層ライナプレートとともに結合される状態で連結される補強リブ部材を含む構成とすることにより、比較的小さな構成で支持板と最上層ライナプレートとの連結状態の補強を実現できるともに連設したライナプレートを十分な強度で確実に支持して掘削穴内での作業性及び作業者の安全性を確保できる。
【００２８】
また、補強手段は、最上層のライナプレートに縦方向直状に延長しかつ支持板にＬ字状に配置された地上側ライナプレートと、地上側ライナプレートと支持板との両方に連結されこれら地上側ライナプレートと支持板とを一体的に固定させる固定部材と、を含む地上側立体補強構造体を備えた構成とすることにより、立体的な構造に組付けて支持板とライナプレートとの連結部にかかる荷重を各部材に分散させることにより、支持装置の支持強度を向上させて、掘削穴内での施工性及び作業者の安全性を確保できる。また、支持装置の支持強度を維持しつつ支持装置自体を軽量に構成することができるので、装置の搬送性や施工性が良好である。また、地上側ライナプレートによって、掘削穴内に地上から人、部品、工具、石、またはその他の物が落下するのを防止でき、地上及び掘削穴内の作業者の安全を確保できる。
【００２９】
また、地面上を伸びて配置された支持板の端部側を地面に対して固定させる打ち込み固定手段が設けられた構成とすることにより、支持板と地面との固定状態を維持することで、支持されたライナプレート全体の安定状態を維持し、掘削穴内での作業性及び作業者の安全性を確保できる。
【００３０】
また、支持装置は、ライナプレートの周囲に間欠状に複数個配置された支持ユニットからなる構成とすることにより、連設したライナプレートを支持する強度を低下させることなく、１ユニットを比較的小さくまとまった構成として製造することができ、これによって、運搬性、設置及び撤去の作業性等を向上させることができる。
【００３１】
さらに、本発明の土留め方法によれば、複数の土留め用ライナプレートを上層側のものに下層側のものを順次連結しながら穴掘削を行なうにあたり、掘削開始時の浅い掘削穴に最上層のライナプレートを装着させ、下層側のライナプレートを垂下支持させるようにライナプレートの支持装置を最上層のライナプレートに脱着可能に取り付けて支持させ、掘削終了後に、支持装置を最上層のライナプレートから離脱回収させる構成としたことから、支持装置を別の現場でも再利用することができるので経済性が良好であるとともに、コンクリート等の産業廃棄物を排出させることがなく環境の保全を図ることができる。
【図面の簡単な説明】
【図１】  本発明のライナプレート支持装置の実施形態を示す所要断面説明図である。
【図２】  図１の支持装置の平面説明図である。
【図３】  図１の一部拡大説明図である。
【図４】  支持装置の斜視説明図である。
【図５】  図４の支持ユニットの平面説明図である。
【図６】  図４の支持ユニットの穴側から見た説明図である
【図７】  プレート片の斜視説明図である。
【図８】  図７のプレート片の縦断面説明図である。
【図９】  図７のプレートを組立てライナプレート全体枠を形成した状態を示す図である。
【図１０】  従来の土留め方法の断面説明図である。
【符号の説明】
１０  ライナプレート
１２  ライナプレート支持装置
２０  支持ユニット
２２  支持板
２８  補強リブ部材
３０  地上側立体補強構造体
４０  地上側ライナプレート
４２  固定部材
４６  打ち込み固定手段
【図１】
0003704686.tif 000002
【図２】
0003704686.tif 000003
【図３】
0003704686.tif 000004
【図４】
0003704686.tif 000005
【図５】
0003704686.tif 000006
【図６】
0003704686.tif 000007
【図７】
0003704686.tif 000008
【図８】
0003704686.tif 000009
【図９】
0003704686.tif 000010
【図１０】
0003704686.tif 000011